(57)【要約】【課題】構体およびスライド部材に形成される溝または孔の形状を単純化し、加工が容易で、加工作業の時間を短縮し、製造コストを低減させ、施錠時の引き戸のガタツキを抑えることができ、かつ、防犯面においても有用な引き戸用錠を提供する。【解決手段】本考案の引き戸用錠は、前記構体内に、前記スライド部材が、前記構体のガイド溝が形成された面と、前記スライド部材の長孔が形成された対向する面とが平行になるように収容され、前記スライド部材は、施錠操作の動きに連動して前記構体内を直線的に移動し、前記複数の連動軸は、前記スライド部材の移動に伴って、前記長孔およびガイド溝の形状に沿って移動する引き戸用錠であって、前記スライド部材には、各連動軸毎に前記フックが突出する側に向けて凸の略Ｖ字状の長孔が形成され、前記構体には、各連動軸毎に略Ｌ字状のガイド溝が形成されている。【選択図】図２
0003127380.tif 000002
【実用新案登録請求の範囲】
【請求項１】
（ａ）互いに対向する内側側面に凹状のガイド溝が形成された構体と、
（ｂ）互いに対向する面に長孔が形成されたスライド部材と、
（ｃ）該スライド部材の互いに対向する面に形成された長孔から突出して前記構体に形成されたガイド溝に両端が嵌合する複数の連動軸と、
（ｄ）該複数の連動軸によって保持され、施錠時に前記構体から突出するフックとを有し、
前記（ａ）の構体内に、前記（ｂ）のスライド部材が、前記（ａ）の構体のガイド溝が形成された面と、前記（ｂ）のスライド部材の長孔が形成された対向する面とが平行になるように収容され、
前記スライド部材は、施錠操作の動きに連動して前記構体内を直線的に移動し、
前記複数の連動軸は、前記スライド部材の移動に伴って、前記長孔およびガイド溝の形状に沿って移動する引き戸用錠であって、
前記スライド部材には、各連動軸毎に前記フックが突出する側に向けて凸の略Ｖ字状の長孔が形成され、
前記構体には、各連動軸毎に略Ｌ字状のガイド溝が形成されてなる引き戸用錠。
【考案の詳細な説明】
【技術分野】
【０００１】
本考案は、引き戸用錠に関する。さらに詳しくは、内側側面に凹状のガイド溝が形成された構体と、対向する面に孔が形成され、施錠操作の動きに連動して直線的に移動するスライド部材と、該スライド部材の対向する面に形成された孔から突出して前記構体に形成されたガイド溝に両端が嵌合し、前記スライド部材の移動に伴って、前記孔およびガイド溝の形状に沿って移動する２本の連動軸と、該２本の連動軸によって保持され、施錠時に前記構体から突出するフックとを有する引き戸用錠に関する。
【背景技術】
【０００２】
従来より、引き戸を施錠するために引き戸用の錠が用いられている。
【０００３】
また、近年、引き戸の形態も多様化しつつあり、引き戸の形態に応じた、機能的な錠を提案していく必要がある。
【０００４】
とくに、バリアフリーの観点や、有効に活用できていない空間、すなわち、デッドスペースの問題を解消する観点から、連送式引き戸が注目されている。連送式引き戸は、２枚以上の戸により、引き戸全体が構成されている。
【０００５】
特許文献１には、２本の連動軸によって保持されたフックが、前記２本の連動軸の移動によって回転運動することにより、錠本体からフックを突出させ、さらに、不正な解除を防ぐための鎌片保護部材を突出させて施錠状態にする引き戸用錠が開示されている。また、特許文献１のように、２本の連動軸の移動によってフックの運動を制御する場合には、フックおよび２本の連動軸を収容する構体の内側側壁と、施錠操作の動きを伝達するための構体内部を直線的に移動するスライド部材とに、連動軸の移動に合わせた溝（または孔）が形成されている。
【０００６】
【特許文献１】特開２００４−１６９４９１号公報
【考案の開示】
【考案が解決しようとする課題】
【０００７】
しかしながら、上述した従来の技術では、施錠時であっても、施錠する側の戸と施錠される側の戸との間の引き戸の厚さ方向の隙間が開いた状態であり、各々の戸がそれぞれ揺動することによる引き戸のガタツキが問題であった。とくに、連送式引き戸においては、戸の枚数が多いことに加え、各々の戸が通常の引き戸に比べて小型であり、ちょっとした風などを受けても引き戸のガタツキが顕著に現れるという問題があった。
【０００８】
また、特許文献１のように、フックの回転運動を制御するためには、構体に形成される溝の形状、およびスライド部材に形成される孔の形状を、連動軸ごとにそれぞれ異なった複雑な形状にしなければならず、加工が難儀で、加工作業に時間がかかり、製造コストが増加してしまう、という問題があった。さらに、連動軸を貫通させるための、フックに形成されている孔の形状までをも特定の形状にしなければならないという問題があった。
【０００９】
本考案は、上記従来の問題に鑑みたもので、構体およびスライド部材に形成される溝または孔の形状を単純化し、加工が容易で、加工作業の時間を短縮することができ、製造コストを低減させることができ、施錠時に、引き戸間の厚さ方向の隙間をあけることなく、密接させて固定し、引き戸のガタツキを抑えることができ、かつ、防犯面においても有用な引き戸用錠を提供することを目的としている。
【課題を解決するための手段】
【００１０】
本考案の引き戸用錠は、（ａ）互いに対向する内側側面に凹状のガイド溝が形成された構体と、（ｂ）互いに対向する面に長孔が形成されたスライド部材と、（ｃ）該スライド部材の互いに対向する面に形成された長孔から突出して前記構体に形成されたガイド溝に両端が嵌合する複数の連動軸と、（ｄ）該複数の連動軸によって保持され、施錠時に前記構体から突出するフックとを有し、前記（ａ）の構体内に、前記（ｂ）のスライド部材が、前記（ａ）の構体のガイド溝が形成された面と、前記（ｂ）のスライド部材の長孔が形成された対向する面とが平行になるように収容され、前記スライド部材は、施錠操作の動きに連動して前記構体内を直線的に移動し、前記複数の連動軸は、前記スライド部材の移動に伴って、前記長孔およびガイド溝の形状に沿って移動する引き戸用錠であって、前記スライド部材には、各連動軸毎に前記フックが突出する側に向けて凸の略Ｖ字状の長孔が形成され、前記構体には、各連動軸毎に略Ｌ字状のガイド溝が形成されてなることにより、上記目的が達成される。
【考案の効果】
【００１１】
本考案の引き戸用錠によれば、構体およびスライド部材に形成される溝または孔の形状を単純化し、加工が容易で、加工作業の時間を短縮することができ、製造コストを低減させることができる。また、本考案の引き戸用錠によれば、施錠時に、フックの水平方向への突出運動の後、フックが施錠される側の引き戸に設置された係合部に係合するように垂直方向へ移動し、さらに、フックを錠本体に引き寄せる引込運動を行うので、引き戸間の厚さ方向の隙間をあけることなく、密接させて固定し、引き戸のガタツキを抑えることができる。さらに、このような、施錠時に引き戸間の厚さ方向の隙間を設けないようにする引き戸用錠は、防犯面においても有用である。
【考案を実施するための最良の形態】
【００１２】
本考案の引き戸用錠は、箱状の構体内に、構体内を直線的に移動するスライド部材と、スライド部材に形成された孔を貫通し、両端が構体に形成された溝に嵌合された２本の連動軸と、２本の連動軸によって保持されたフックとを有し、スライド部材を移動させると、２本の連動軸が、それぞれ、前記孔および前記溝の形状に沿って移動するものである。とくに、スライド部材に形成される孔と構体に形成される溝の形状および組み合わせを特定することにより、施錠時に、フックの水平方向への突出運動の後、施錠される側の引き戸に設置された係合部に係合するように、フックが垂直方向へ移動し、さらに、フックを錠本体に引き寄せる引込運動を行う。このようにして、フックの突出運動、係合部への係合、および、フックの引込運動とが結合された動きを実現する。
【００１３】
添付図面を参照しながら、本考案の引き戸用錠を以下で詳細に説明する。
【００１４】
図１は、本考案の引き戸用錠の使用状態を表す斜視図、図２は、本考案の引き戸用錠の使用状態を表す縦断面図、図３は、本考案のスライド部材を示す斜視図、図４（ａ）は、図３のスライド部材に形成された誘導孔を説明するためのスライド部材の側面図、図４（ｂ）は、フックの移動距離とスライド部材の移動距離とを説明するためのスライド部材の側面図、図５は、本考案の構体を示す斜視図、図６（ａ）は、図５の構体に形成されたガイド溝を説明するための構体の側面図、図６（ｂ）は、フックの移動距離とスライド部材の移動距離とを説明するための構体の側面図、図７の（ａ）は本考案のフックの側面図であり、（ｂ）は本考案のフックの斜視図、図８の（ａ）は連動軸の一例を示す斜視図であり、（ｂ）は連動軸の他の一例を示す斜視図、図９は、本考案のフックが係合する係合部の正面図、図１０は、操作手段の一例を示す縦断面図、図１１（ａ）は、錠本体の動作を説明するための図であり、フックが構体内に収まった状態を示しており、図１１（ｂ）は、錠本体の動作を説明するための図であり、フックのかぎ部が構体から水平方向に突出している状態を示しており、図１１（ｃ）は、錠本体の動作を説明するための図であり、フックのかぎ部が構体から突出した状態で、垂直方向に移動している状態を示しており、図１１（ｄ）は、錠本体の動作を説明するための図であり、フックのかぎ部が水平方向に引込むように移動している状態を示す。
【００１５】
実施の形態１
実施の形態１の引き戸用錠は、図１に示されるように、施錠する側の引き戸Ｄ１に設けられた錠本体と、施錠される側の引き戸Ｄ２に設けられた係合部６と、錠本体に取り付けられて、利用者が施錠操作を行う操作手段５とから構成されている。
【００１６】
錠本体１００は、図２に示されるように、構体１と、スライド部材２と、フック３と、２本の連動軸４とから構成されている。
【００１７】
構体１は、図５および図６に示されるように、下方の面に開口が形成された箱状部材であり、その内側側面の対向する１対の面に凹状のガイド溝が形成されている。また、構体１には、ガイド溝が形成された一方の面にスライド部材２の移動距離とほぼ同一の長さの操作手段連結孔１ｃが形成され、操作手段連結孔１ｃが形成された面に対して垂直な面にフック突出孔１ｄが長方形状に形成されている。
【００１８】
ガイド溝は、図６（ａ）に示されるように、連動軸４の移動を誘導するためのもので、２本の連動軸のうちの一方（以下、連動軸ａ４ａという）の移動を誘導するために形成された略Ｌ字状のガイド溝１ａと、２本の連動軸のうちの他方（以下、連動軸ｂ４ｂという）の移動を誘導するために形成された略Ｌ字状の連動軸ｂのガイド溝１ｂとから構成されている。ガイド溝１ａおよびガイド溝１ｂの形状は同一である。さらに、ガイド溝１ａは、機能に応じて、フック３の一部を構体１の内部から水平方向に突出させるための水平方向（図６（ａ）、紙面左右方向）に延びて形成された突出運動ガイド溝１ａ１と、フック３を垂直方向に移動させるための垂直方向（図６（ａ）、紙面上下方向）に延びて形成された垂直運動ガイド溝１ａ２と、フック３を構体１の内部へ引き込むための水平方向（図６（ａ）、紙面左右方向）に延びて形成された引込運動ガイド溝１ａ３とに分類される。また、ガイド溝１ｂもガイド溝１ａの場合と同様に、機能に応じて、フック３の一部を構体１の内部から水平方向に突出させるための水平方向（図６（ａ）、紙面左右方向）に延びて形成された突出運動ガイド溝１ｂ１と、フック３を垂直方向に移動させるための垂直方向（図６（ａ）、紙面上下方向）に延びて形成された垂直運動ガイド溝１ｂ２と、フック３を構体１の内部へ引き込むための水平方向（図６（ａ）、紙面左右方向）に延びて形成された引込運動ガイド溝１ｂ３とに分類される。このように、連動軸ａ用のガイド溝１ａの形状と連動軸ｂ用のガイド溝１ｂとを同一の形状にすることができるので、製造時の加工作業が容易で、作業時間を短縮することができ、従来よりコストダウンを図ることができる。
【００１９】
スライド部材２は、図３に示されるように、略コ字状の部材であり、１対の対向する面に孔（以下、誘導孔という）が形成され、この１対の対向する面は、構体１のガイド溝が形成された面に対して平行になるように構体１内に収容される。また、スライド部材２には、操作手段５と嵌合し、施錠操作の動きをスライド部材２に伝達するための、突出した円柱形状の操作手段２１が設けられている。また、スライド部材２は、施錠の際、図４（ａ）に示される矢印ｓの方向（紙面下方）へ直線的に移動する。
【００２０】
スライド部材２の一対の対向する面には、図４（ａ）に示されるように、連動軸ａの移動を誘導するために形成された略Ｖ字状の誘導孔２ａと、連動軸ｂの移動を誘導するために形成された略Ｖ字状の誘導孔２ｂとが形成されている。誘導孔２ａおよび誘導孔２ｂの形状は同一であり、いずれも、フック３の突出方向に向けて凸状を呈している。さらに、誘導孔２ａは、その機能に応じて、フック３の一部を構体１の内部から水平方向に突出させるための突出運動誘導孔２ａ１と、フック３を構体１の内部に引き込むための引込運動誘導孔２ａ３とに分類される。また、誘導孔２ｂは、その機能に応じて、フック３の一部を構体１の内部から水平方向に突出させるための突出運動誘導孔２ｂ１と、フック３を構体１の内部に引き込むための引込運動誘導孔２ｂ３とに分類される。このように、連動軸ａ４ａ用の誘導孔２ａの形状と連動軸ｂ４ｂ用の誘導孔２ｂとを同一の形状にすることができるので、製造時の加工作業が容易で、作業時間を短縮することができ、従来よりコストダウンを図ることができる。
【００２１】
フック３は、図７（ａ）および図７（ｂ）に示されるように、施錠される側のドアに設けられた係合部６に係合するかぎ部３１と、２本の連動軸４によって構体１の内部に保持される直方体状の軸保持部３２とから構成されている。かぎ部３１は、軸保持部３２の一面から突出して形成されており、施錠時のフック３の移動方向（垂直方向への移動）へ向けて開口した略コ字状を呈している。さらに、かぎ部３１の一方の側部には、側壁３１ａが設けられている。側壁３１ａが設けられていることにより、施錠時は、係合部６とフック３のかぎ部３１とが所定の位置で係合する。また、軸保持部３２には、連動軸ａ４ａを貫通させるための連動軸ａ貫通孔３ａと、連動軸ｂ４ｂを貫通させるための連動軸ｂ貫通孔３ｂとが形成されている。連動軸ａ貫通孔３ａおよび連動軸ｂ貫通孔３ｂの形状は、とくに限定されるものではなく、フック３を２本の連動軸４により保持できる形状であれば構わない。また、フック３に形成される連動軸ａ貫通孔３ａと連動軸ｂ貫通孔３ｂとの間隔は、とくに限定されるものではなく、スライド部材２に形成された連動軸ａ４ａ用の誘導孔２ａと連動軸ｂ４ｂ用の誘導孔２ｂとの間隔、または、構体１に形成された連動軸ａ４ａ用のガイド溝１ａと連動軸ｂ４ｂ用のガイド溝１ｂとの間隔に応じて適宜設定すればよい。フック３は、この連動軸ａ貫通孔３ａを貫通した連動軸ａ４ａおよび連動軸ｂ貫通孔３ｂを貫通した連動軸ｂ４ｂを介して、構体１内のスライド部材２の孔が形成された対向する２面の間に保持されている。
【００２２】
２本の連動軸４は、図８（ａ）および図８（ｂ）に示されるように、円柱状、または円柱の両端部の径を構体１に形成されたガイド溝に嵌合しやすいように小さく設定した形状の軸を用いる。上述したように、フック３の連動軸ａ貫通孔３ａに貫通させる連動軸を連動軸ａ４ａ、フック３の連動軸ｂ貫通孔３ｂに貫通させる連動軸を連動軸ｂ４ｂとする。２本の連動軸４は、それぞれ、フック３に形成された連動軸貫通孔（３ａ、３ｂ）およびスライド部材２の向かい合う２面に形成された孔（誘導孔２ａ、誘導孔２ｂ）を貫通し、構体１に形成されたガイド溝（ガイド溝１ａ、ガイド溝１ｂ）にその両端が嵌合している。施錠時には、この２本の連動軸４が、スライド部材２の直線的な移動に伴って、スライド部材２の誘導孔２ａ、２ｂおよび構体１のガイド溝１ａ、１ｂの形状に沿ってそれぞれ移動する。本考案では、連動軸ａ４ａのために形成されたガイド溝１ａの形状と連動軸ｂ４ｂのために形成されたガイド溝１ｂの形状とが全く同一であり、かつ、連動軸ａ４ａのために形成された誘導孔２ａの形状と連動軸ｂ４ｂのために形成された誘導孔２ｂの形状とが全く同一であるので、施錠時には、連動軸ａ４ａと連動軸ｂ４ｂとが同一の動きをする。図４（ａ）のスライド部材２に示された矢印ＡおよびＢは、それぞれ、スライド部材２における連動軸ａ４ａおよび連動軸ｂ４ｂの施錠時の軌道をあらわしている。また、図６（ａ）の構体１に示された矢印Ａ’およびＢ’は、それぞれ、構体１における連動軸ａ４ａおよび連動軸ｂ４ｂの施錠時の軌道をあらわしている。なお、図４（ａ）に示されるスライド部材２における連動軸ａ４ａおよび連動軸ｂ４ｂの施錠時の軌道（矢印ＡおよびＢ）は、スライド部材２の直線的な移動に伴う連動軸ａ４ａおよび連動軸ｂ４ｂの相対的な軌道を示したものである。
【００２３】
係合部６は、図２および図９に示されるように、施錠される側の引き戸Ｄ２に設けられ、その縦断面形状は、図２に示されるように、フック３のかぎ部３１の内側輪郭に沿うような形状であることが好ましい。
【００２４】
操作手段５は、図１０に示されるように、操作プレート５２と、取付け体５３とから構成されている。操作プレート５２は、取り付け体５３に嵌合するように設けられた板状の部材であり、その一方の面（錠本体に面した面）には、構体１内に収容されたスライド部材２と操作手段５とを接続するための凹部５ａが形成され、この凹部５ａにスライド部材２に設けられた操作手段接続部２１が嵌合する。また、操作プレート５２の他方の面には、凸状の操作部５１が設けられている。さらに、操作プレート５２には、操作プレート５２の位置を下方に保持するための係止部５４が、操作プレート５２の厚さ方向の面に、操作プレート５２の内部へ入り込むように取り付けられている。係止部５４には、圧縮コイルバネが組み込まれ、この圧縮コイルバネの付勢力が取り付け体５３を押圧する方向へ向けられていることにより、操作プレート５２は下方に保持される。
【００２５】
利用者が、操作部５１を垂直方向に押し下げると、操作部５１と一体的に設けられた操作プレート５２が連動して垂直方向に押し下がり、操作プレート５２に形成された凹部５ａに嵌合したスライド部材２の操作手段接続部２１を介して、構体１内に収容されたスライド部材２が下方に移動する。
【００２６】
以下で、本考案の引き戸用錠本体１００の動作を、図１１（ａ）〜図１１（ｄ）を用いて説明する。ここで、図１１（ａ）の矢印Ｃは、フック３のかぎ部３１の軌道を示している。
【００２７】
まず、初期状態として、施錠していない状態について説明する。図１１（ａ）に示されるように、初期状態では、操作手段接続部２１が操作手段連結孔１ｃの上方（図１１（ａ）、紙面上方）にあり、構体１内に収容されたスライド部材２も構体１内の上方に位置している。このとき、フック３の連動軸ａ貫通孔３ａを貫通した連動軸ａ４ａは、スライド部材２に形成された誘導孔２ａの突出運動誘導孔２ａ１の端部（スライド部材２の進行方向ｓ側の端部）に位置しており、構体１に形成されたガイド溝１ａの突出運動ガイド溝１ａ１の端部（図１１（ａ）、左側）に位置している。また、フック３の連動軸ｂ貫通孔３ｂを貫通した連動軸ｂ４ｂは、スライド部材２に形成された誘導孔２ｂの突出運動誘導孔２ｂ１の端部（スライド部材２の進行方向ｓ側の端部）に位置しており、構体１に形成されたガイド溝１ｂの突出運動ガイド溝１ｂ１の端部（図１１（ａ）、左側）に位置している。また、フック３は連動軸ａ貫通孔３ａおよび連動軸ｂ貫通孔３ｂの位置関係により、フック３の状態が決定され、構体１内にその全体が収容されている。
【００２８】
つぎに、施錠時の動作について説明する。利用者が、操作手段５の操作部５１を下方に押し下げると、スライド部材２がこの操作に連動して垂直方向へ移動し始める。図１１（ｂ）に示されるように、操作手段接続部２１は操作手段連結孔１ｃの若干下方へ下降し、操作手段接続部２１の移動と共に、スライド部材２も若干下方へ直線的に下降する。このとき、フック３の連動軸ａ貫通孔３ａを貫通した連動軸ａ４ａは、スライド部材２に形成された誘導孔２ａの突出運動誘導孔２ａ１に沿って移動しながら、構体１に形成されたガイド溝１ａの突出運動ガイド溝１ａ１のフック突出側Ｆへ、図４（ｂ）に示す距離Ｘ１だけ水平に移動する。また、フック３の連動軸ｂ貫通孔３ｂを貫通した連動軸ｂ４ｂは、スライド部材２に形成された誘導孔２ｂの突出運動誘導孔２ｂ１に沿って移動しながら、構体１に形成されたガイド溝１ｂの突出運動ガイド溝１ｂ１のフック突出側Ｆへ、図４（ｂ）に示す距離Ｘ１だけ水平に移動する。すなわち、スライド部材２に形成された突出運動誘導孔（２ａ１および２ｂ１）が、構体１に形成された突出運動ガイド溝（１ａ１および１ｂ１）とすれ違う際に、連動軸ａ４ａおよび連動軸ｂ４ｂをフック突出側Ｆへ水平移動させる。また、フック３は、連動軸ａ４ａおよび連動軸ｂ４ｂの動きに連動して、フック突出側Ｆへ向けて水平に移動し、かぎ部３１をフック突出孔１ｄから突出させる。
【００２９】
さらに、利用者が操作手段５の操作部５１を下方に押し下げると、スライド部材２がさらに下方へ移動する。図１１（ｃ）に示されるように、操作手段接続部２１は操作手段連結孔１ｃのさらに下方へ移動し、操作手段接続部２１の移動と共に、スライド部材２もさらに下方へ直線的に移動する。このとき、フック３の連動軸ａ貫通孔３ａを貫通した連動軸ａ４ａは、スライド部材２に形成された誘導孔２ａの突出運動誘導孔２ａ１と、引込運動誘導孔２ａ３との境界に位置し、構体１に形成された垂直運動ガイド溝１ａ２に沿って、下方へ移動する。また、フック３の連動軸ｂ貫通孔３ｂを貫通した連動軸ｂ４ｂは、スライド部材２に形成された誘導孔２ｂの突出運動誘導孔２ｂ１と、引込運動誘導孔２ｂ３との境界に位置し、構体１に形成された垂直運動ガイド溝１ｂ２に沿って、下方へ移動する。また、フック３は、連動軸ａ４ａおよび連動軸ｂ４ｂの動きに連動して、フック３のかぎ部３１を構体１から突出させた状態で、下方（図１１（ｃ）、紙面下方）へ移動する。
【００３０】
最後に、フック３の引込動作について説明する。利用者が操作手段５の操作部５１を可動な範囲の最下部まで押し下げると、スライド部材２が最下部まで移動する。図１１（ｄ）に示されるように、操作手段接続部２１は操作手段連結孔１ｃの最下部まで下降し、操作手段接続部２１の移動と共に、スライド部材２も最下部まで直線的に下降する。このとき、フック３の連動軸ａ貫通孔３ａを貫通した連動軸ａ４ａは、スライド部材２に形成された誘導孔２ａの引込誘導孔２ａ３に沿って移動し、フック突出側Ｆから離れる方向へ図４（ｂ）に示す距離Ｘ２だけ水平に誘導され、構体１に形成されたガイド溝１ａの引込運動ガイド溝１ａ３のフック突出側Ｆの反対方向の端（図１１（ｄ）紙面左側）に到達する。また、フック３の連動軸ｂ貫通孔３ｂを貫通した連動軸ｂ４ｂは、スライド部材２に形成された誘導孔２ｂの引込運動誘導孔２ｂ３に沿って移動し、フック突出側Ｆから離れる方向へ図４（ｂ）に示す距離Ｘ２だけ水平に誘導され、構体１に形成されたガイド溝１ｂの引込運動ガイド溝１ｂ３のフック突出側Ｆの反対方向の端（図１１（ｄ）紙面左側）に到達する。すなわち、スライド部材２に形成された引込運動誘導孔（２ａ３および２ｂ３）が、構体１に形成された引込運動ガイド溝（１ａ３および１ｂ３）とすれ違う際に、連動軸ａ４ａおよび連動軸ｂ４ｂをフック突出側Ｆから離れる方向へ水平移動させる。また、フック３は、連動軸ａ４ａおよび連動軸ｂ４ｂのフック突出側Ｆの反対方向（紙面左方向）への水平移動に伴い、フック突出側Ｆの反対方向（図１１（ｄ）紙面左方向）へ引き寄せられる。この際のフック３の引き込み動作により、施錠される側の引き戸Ｄ２に設けられた係合部６とフック３のかぎ部３１が係合している場合に、引き戸間の厚さ方向の隙間をあけることなく、引き戸を密接させて固定する。
【００３１】
一方、施錠を解除する際には、利用者が、操作手段５の操作部５１を下方へ押し上げることにより、錠本体１００が上述した施錠時の動作と逆の順序で進行し、施錠が解除される。
【００３２】
本考案の引き戸用錠は、施錠時に、施錠する側の引き戸Ｄ１が、施錠される側の引き戸Ｄ２を引き寄せ、引き戸間の厚さ方向の隙間をあけることなく、密接させて固定するので、とくに、連送引き戸などの錠として用いることが好ましい。
【００３３】
以上の実施の形態によれば、本考案の引き戸用錠は、スライド部材２には、各連動軸毎にフック３が突出する側に向けて凸の略Ｖ字状の孔（誘導孔２ａ、２ｂ）が形成され、構体１には、各連動軸毎に略Ｌ字状のガイド溝１ａ、１ｂが形成されており、構体１およびスライド部材２に形成される溝または孔の形状を単純化し、加工が容易で、加工作業の時間を短縮することができ、製造コストを低減させることができる。また、本考案の引き戸用錠によれば、施錠時に、フック３の水平方向への突出運動の後、フック３が施錠される側の引き戸Ｄ２に設置された係合部６に係合するように垂直方向へ移動し、さらに、フック３を錠本体１００に引き寄せる引込運動を行うので、引き戸間の厚さ方向の隙間をあけることなく、密接させて固定し、引き戸のガタツキを抑えることができる。さらに、このような、施錠時に引き戸間の厚さ方向の隙間を設けないようにする引き戸用錠は、防犯面においても有用である。また、上記実施の形態における本考案の引き戸用錠は、施錠操作する位置がフック３の突出する面に対して垂直な位置にあるので、施錠操作する操作手段５の位置を引き戸の厚さ方向の面に設けることができ、引き戸の厚さに関係なく取り付けることができる。また、上記実施の形態における本考案の引き戸用錠は、施錠操作する位置がフック３の突出する面に対して垂直な位置（引き戸の厚さ面）にあるので、引き戸の意匠にも配慮することができる。
【００３４】
なお、上記実施の形態中では、施錠操作する操作手段５を、フック３の突出する面に対して垂直な位置に設けた場合について説明したが、本考案はこれに限らず、施錠手段５をフック３の突出する面に対向する位置に設けても構わない。この場合、操作手段連結孔１ｃを、フック３が突出する面に対向する面に形成し、操作手段接続部２１をフック３が突出する面に対向する面に向けて設ける。
【００３５】
また、上記実施の形態中では、施錠手段５の操作部５１を垂直方向に移動させて施錠する施錠手段５の形態について説明したが、本考案はこれに限らず、施錠手段５の操作部５１を回転させて施錠する形態であっても構わない。操作部５１の動きに連動して、スライド部材２が直線的に移動できればよい。
【００３６】
また、上記実施の形態中では、施錠手段５の操作部５１を下方へ押し下げることにより施錠する形態について説明したが、本考案はこれに限らず、施錠手段５の操作部５１を上方へ押し上げることにより施錠する形態（図示せず）であっても構わない。
【００３７】
また、上記実施の形態中では、２本の連動軸４ａ、４ｂで、フック３の動きを制御する場合について説明したが、本考案はこれに限らず、３本以上の連動軸で、フックの動きを制御しても構わない。この場合、スライド部材２に形成される略Ｖ字状の誘導孔の数を連動軸の数に応じて増やし、構体に形成される略Ｌ字状のガイド溝の数を連動軸の数に応じて増やせばよい。
【図面の簡単な説明】
【００３８】
【図１】本考案の引き戸用錠の使用状態を表す斜視図である。
【図２】本考案の引き戸用錠の使用状態を表す縦断面図である。
【図３】本考案のスライド部材を示す斜視図である。
【図４】（ａ）は、図３のスライド部材に形成された誘導孔を説明するためのスライド部材の側面図である。（ｂ）は、フックの水平方向の移動距離を説明するためのスライド部材の側面図である。
【図５】本考案の構体を示す斜視図である。
【図６】（ａ）は、図５の構体に形成されたガイド溝を説明するための構体の側面図である。（ｂ）は、フックの水平方向の移動距離を説明するための構体の側面図である。
【図７】（ａ）は本考案のフックの側面図であり、（ｂ）は本考案のフックの斜視図である。
【図８】（ａ）は連動軸の一例を示す斜視図であり、（ｂ）は連動軸の他の一例を示す斜視図である。
【図９】本考案のフックが係合する係合部の正面図である。
【図１０】操作手段の一例を示す縦断面図である。
【図１１】（ａ）〜（ｄ）は、錠本体の動作を説明するための図であり、（ａ）は、フックが構体内に収まった状態を示す。（ｂ）は、フックのかぎ部が構体から水平方向に突出している状態を示す。（ｃ）は、フックのかぎ部が構体から突出した状態で、垂直方向に移動している状態を示す。（ｄ）は、フックのかぎ部が水平方向に引込むように移動している状態を示す。
【符号の説明】
【００３９】
１  構体
１ａ、１ｂ  ガイド溝
２  スライド部材
２ａ、２ｂ  誘導孔
３  フック
４  ２本の連動軸
１００  錠本体
【図１】
0003127380.tif 000003
【図２】
0003127380.tif 000004
【図３】
0003127380.tif 000005
【図４】
0003127380.tif 000006
【図５】
0003127380.tif 000007
【図６】
0003127380.tif 000008
【図７】
0003127380.tif 000009
【図８】
0003127380.tif 000010
【図９】
0003127380.tif 000011
【図１０】
0003127380.tif 000012
【図１１】
0003127380.tif 000013